(57)【特許請求の範囲】
【請求項１】
電極本体の計測先端部に二本の端子を所定距離を存して突出設置し、各端子の計測先端部形状を楕円形とし、かつ各端子の計測先端部の周縁を円弧状に形成し、前記楕円形の長さ寸法比が、短径寸法：長径寸法の比率において、２：５であることを特徴とする頭皮水分量測定装置用の電極。
【請求項２】
各端子の計測先端部形状の楕円形において、短径寸法Ｌ１は０．５〜１ｍｍで、長径寸法Ｌ２は１．２５〜２．５ｍｍで、両端子間の寸法Ｌ３は４ｍｍで、端子の突出寸法は３〜１５ｍｍであることを特徴とする請求項１記載の頭皮水分量測定装置用の電極。
【発明の詳細な説明】
【０００１】
【発明の属する技術分野】
本発明は頭皮水分量測定装置用の電極に関し、さらに詳しくは頭髪が群生している頭皮部位の水分量を測定するのに好適な頭皮水分量測定装置用の電極に関する。
【０００２】
【従来の技術】
従来の表皮水分量測定装置に用いられている電極は、図４及び図５に示されるように、中心電極１０ａ（直径１ｍｍ程度）とこれを包囲する円環状電極１０ｂ（内径４ｍｍ、外径６ｍｍ程度）とを同心円状に配設して並べ、両電極１０ａ、１０ｂの間には絶縁層１１を介在させ、さらに前記両電極と絶縁層の正面側の面部位を計測先端部１２とし、この計測先端部１２は全体が面一の平面状になるように形成されていた。
また電極は把持しやすいように全体が棒状体１３に形成され、これを皮表等の水分量測定装置に電気的に接続して使用していた。
【０００３】
この電極の計測先端部１２を被測定部位の表皮（角質層）等に押し付け、別途設ける水晶発振器により測定周波数を設定することで、被測定部位のコンダクタンス値を測定し、この測定結果に基づき被測定部位の水分含有量を測定して、皮表（角質層）のみずみずしさの状態を推定している。即ち、上記のコンダクタンス値は表皮の水分含有率に対応して増大するという相関関係にあるため、この点に着目して上記の計測が行われているのである。
【０００４】
ところで、頭皮以外の個所、例えば顔面の額部、頬部、手の甲部、腕部等に上述の従来電極を押し付けて、被測定部位の水分量を測定するに際しては、特に計測上問題となることはなかった。
【０００５】
【発明が解決しようとする課題】
しかしながら、上記構成の従来の電極を頭髪が群生する頭皮部位に押し付ける際には、最低でも１０平方ｍｍ程度の頭髪の存在しない領域がなければ、電極の構造上の理由から、両電極の通電ルート間に頭髪が介在することとなり、その介在頭髪の影響で両電極を頭皮部位に、正確かつ適切な押圧で接触させることができなくなる事態が発生していた。頭髪の太さや、群生割合によってその影響力も異なるが、最悪の場合には測定が全く不可能になることもあったし、その測定部位をさがすために余計な努力が求められることもあった。
この理由から、従来電極では頭皮部位の水分量の正確な測定が行えなくなるという由々しき問題点があった。
【０００６】
このため、本発明は頭髪の群生する頭皮部位においても、頭髪の影響を受けにくい電極の構造を採用することで、上記の問題点を解消できる頭皮水分量測定装置用の電極を提供せんとするものである。
【０００７】
【課題を解決するための手段】
本発明の課題を解決するための手段として、まず請求項１記載のものは、電極本体の計測先端部に二本の端子を所定距離を存して突出設置し、各端子の計測先端部形状を楕円形とし、かつ各端子の計測先端部の周縁を円弧状に形成し、前記楕円形の長さ寸法比が、短径寸法：長径寸法の比率において、２：５であることを特徴とする頭皮水分量測定装置用の電極である。
【０００８】
また請求項２記載のものは、各端子の計測先端部形状の楕円形において、短径寸法Ｌ１は０．５〜１ｍｍで、長径寸法Ｌ２は１．２５〜２．５ｍｍで、両端子間の寸法Ｌ３は４ｍｍで、端子の突出寸法は３〜１５ｍｍであることを特徴とする請求項１記載の頭皮水分量測定装置用の電極である。
【０００９】
本発明によれば、二本の端子を所定距離を存して突出設置させ、さらには端子の計測先端部形状を楕円形としたため、頭皮に群生している頭髪が両端子間の隙間に導かれ、かつ端子の計測先端部の面積は従来電極と比較して著しく小さくなっていることより、両端子間に頭髪が介在されて邪魔になるという事態を避けることができる。さらには、計測先端部を頭皮に押し付ける際、計測先端部の周縁を円弧状に形成したので、周縁を角ばった形状にしたものと比較して正確な測定データが得られるという特徴もある。さらに、二本の端子の計測先端部形状の楕円形の長さ寸法比が、短径：長径の比率において、２：５としたので頭髪を避けて頭皮に端子の計測先端部を正確に押し付けることが可能となった。
【００１０】
請求項２は、各端子の計測先端部形状の楕円形において、短径寸法Ｌ１は０．５〜１ｍｍで、長径寸法Ｌ２は１．２５〜２．５ｍｍで、両端子間の寸法Ｌ３は４ｍｍで、端子の突出寸法は３〜１５ｍｍとしたので、使いやすく正確な測定が可能となる効果がある。
【００１１】
【発明の実施の形態】
図１は本発明に係る電極の正面図、図２は同側面図、図３は電極を頭皮部位に押し付けた状態の拡大側面図、図４は従来電極の正面図、図５は前図のＡ−Ａ線断面図、図６は従来電極を頭皮部位に押し付けた状態の拡大縦断側面図である。
【００１２】
図１乃至図３に示されるように、電極本体１の計測先端部２には、二本の端子３ａ、３ｂが所定距離を存して突出設置されている。また各端子３ａ、３ｂの計測先端部２の形状は、楕円形を呈するように形成され、かつこの楕円形の計測先端部２の周縁は角ばることなく、円弧状を呈している。前記の端子は、導電性素材で形成されれば特に制限はないが、一般的には真鍮に金メッキを施したものを利用すると良い。
【００１３】
図１において、Ｌ１は楕円形の短径寸法、Ｌ２は同長径寸法、Ｌ３は両端子間の寸法、Ｌ４は端子の突出寸法をそれぞれ表している。
また短径寸法Ｌ１：長径寸法Ｌ２の比率は、２：５であることが好ましい。
即ち、この比率差を越えるような薄物に形成した場合には、計測先端部２に局部的に圧力がかかり過ぎて正確な測定が困難となり、一方この比率差を下回るような形状に形成した場合には、計測先端部２が楕円形状から円形状に近づくことになるから、計測先端部２を毛髪の間に位置させることが困難となり、結果的に正確な測定ができなくなる。本発明者等は、実験の結果から上記の比率が最適であることを確認した。
【００１４】
本発明の実施の態様の具体例によれば、短径寸法Ｌ１は０．５〜１ｍｍ程度で、好ましくは０．６ｍｍ程度であり、長径寸法Ｌ２は１．２５〜２．５ｍｍ程度で、好ましくは１．５ｍｍ程度である。
さらに両端子間の寸法Ｌ３は４ｍｍ前後が好ましく、端子の突出寸法は３〜１５ｍｍ程度が好ましい。
【００１５】
上記構成の本発明電極の端子３ａ、３ｂの計測先端部２を、頭髪４が群生している頭皮５に押し付ける（そのときの押し付け圧は、２５〜４０ｇ／平方ｃｍ程度とする）と、皮膚に対する押圧ストレスを低減した状態で、電極の端子３ａ、３ｂと頭皮５の安全かつ確実な接触が可能となる。
【００１６】
ここで本発明電極の端子の計測先端部２は小さな面積であり、かつ両端子間には適度のスペースが確保されているため、頭髪４が計測先端部２と頭皮５間に挟まれて、計測に悪影響を及ぼすというような事態は回避される。
【００１７】
また、計測先端部２の周縁は角ばることなく円弧状に形成されているため、上記の効果は一層顕著となり、頭皮５を計測先端部の周縁で局部的に押し付けて被測定者に不必要なストレスを与えたり、不正確な計測データを得る等の弊害を避けることもできる。
【００１８】
【発明の効果】
以上述べたように、請求項１による電極によれば、頭髪が群生している個所に適用しても、頭髪を避けながら頭皮に計測先端部を正確に適切な押圧で押し付けることができ、被測定者に押し付け時の余分なストレスを与えず、正確な水分量の測定が行えるという優れた効果がある。
【００１９】
請求項２は、上記の効果を一層確実に達成できる特徴がある。
【図面の簡単な説明】
【図１】  本発明に係る電極の正面図である。
【図２】  同側面図である。
【図３】  本発明に係る電極を頭皮部位に押し付けた状態の拡大側面図である。
【図４】  従来電極の正面図である。
【図５】  前図のＡ−Ａ線断面図である。
【図６】  従来電極を頭皮部位に押し付けた状態の拡大縦断側面図である。
【符号の説明】
１…電極本体
２…計測先端部
３ａ、３ｂ…端子
４…頭髪
５…頭皮
１０ａ…従来の中心電極
１０ｂ…従来の円環状電極
１１…絶縁層
１２…従来電極の計測先端部
１３…従来電極の棒状体
【図１】
0003739594.tif 000002
【図２】
0003739594.tif 000003
【図３】
0003739594.tif 000004
【図４】
0003739594.tif 000005
【図５】
0003739594.tif 000006
【図６】
0003739594.tif 000007